(57)【要約】  サーバエンドおよびクライアントのためのモバイルペイメント方法、装置、およびシステムが提供される。サーバエンドのためのモバイルペイメント方法は、クライアントが送ったペイメント要求メッセージを受信すること（１０１）と、予め設定されたペイメントチャネル情報セットから１つのペイメントチャネル情報を選択して、これをクライアントに発行すること（１０２）とを含む。ペイメントチャネル情報セットは複数のチャネル情報からなり、異なるペイメントチャネル情報がカバーするエリアは完全には重なっておらず、複数のペイメントチャネル情報はすべてのエリアをカバーする。サーバエンドは、複数のペイメント提供者が提供する異なるペイメントチャネル情報を選択してペイメントチャネル情報セットを形成することができ、これにより、提供されるペイメントサーバはすべてのエリアをカバーすることができ、このことは、あるペイメントチャネル情報がいくつかのエリアしかカバーしないという先行技術の限界を突破する。
2014527661.tif 000002
【特許請求の範囲】
【請求項１】
サーバのためのモバイルペイメント方法であって、
クライアントが送ったペイメント要求メッセージを受信するステップと、
予め設定されたペイメントチャネル情報セット中の１つのペイメントチャネル情報を選択して、前記１つのペイメントチャネル情報を前記クライアントに発行するステップとを含み、
前記ペイメントチャネル情報セットは複数のペイメントチャネル情報を含み、異なるペイメントチャネル情報がカバーするエリアは完全には重なっておらず、前記複数のペイメントチャネル情報はすべてのエリアをカバーする、方法。
【請求項２】
前記ペイメント要求メッセージは、クライアントが自動的に取得するモバイル装置ＩＤを含み、
予め設定されたペイメントチャネル情報セット中の１つのペイメントチャネル情報を選択して、前記１つのペイメントチャネル情報を前記クライアントに発行する前記ステップは、
前記モバイル装置ＩＤと関連付けられるユーザエリアＩＤが前記サーバによってローカルに保存されているか否かを判断することと、
前記モバイル装置ＩＤと関連付けられるユーザエリアＩＤが前記サーバによってローカルに保存されていると判断されると、前記モバイル装置ＩＤと関連付けられるユーザエリアＩＤに従って、前記予め設定されたペイメントチャネル情報中の１つのペイメントチャネル情報を選択して、当該１つのペイメントチャネル情報を前記クライアントに発行することとを含む、請求項１に記載の方法。
【請求項３】
前記モバイル装置ＩＤと関連付けられるユーザエリアＩＤに従って、予め設定されたペイメントチャネル情報セット中の１つのペイメントチャネル情報を選択して、前記１つのペイメントチャネル情報を前記クライアントに発行する前記ステップは、
前記モバイル装置ＩＤと関連付けられるユーザエリアＩＤに従って、当該ユーザエリアＩＤに対応するエリアを判断することと、
前記ペイメントチャネル情報セット中のエリアをカバーするすべてのペイメントチャネル情報を判断することと、
エリアをカバーするすべてのペイメントチャネル情報の中から、前記クライアントに発行すべき、現在の使用量が最も少ない１つのペイメントチャネル情報を選択することとを含む、請求項２に記載の方法。
【請求項４】
前記ペイメント要求メッセージは、前記クライアントが自動的に取得するモバイル装置ＩＤを含み、
予め設定されたペイメントチャネル情報セット中の１つのペイメントチャネル情報を選択して、前記１つのペイメントチャネル情報を前記クライアントに発行する前記ステップは、
前記モバイル装置ＩＤと関連付けられるユーザエリアＩＤが前記サーバによってローカルに保存されているか否かを判断することと、
前記モバイル装置ＩＤと関連付けられるユーザエリアＩＤが前記サーバによってローカルに保存されていないと判断されると、前記予め設定されたペイメントチャネル情報セット中の少なくとも２つのペイメントチャネル情報を好ましいペイメントチャネル情報であると決定し、前記クライアントに発行すべき、当該好ましいペイメントチャネル情報から現在の使用量が最も少ない１つのペイメントチャネル情報を選択することとを含む、請求項１に記載の方法。
【請求項５】
前記１つのペイメントチャネル情報をクライアントに発行した後に、
当該発行したペイメントチャネル情報を用いたクライアントによるペイメントが成功したか否かを判断することと、
当該発行したペイメントチャネル情報を用いたサーバによるペイメントが成功したと判断されると、前記クライアントが生成するユーザエリアＩＤを含む注文情報に従って、前記モバイル装置ＩＤと関連付けられるユーザエリアＩＤを取得しかつ保存することとをさらに含む、請求項１から４のいずれかに記載の方法。
【請求項６】
前記１つのペイメントチャネル情報をクライアントに発行した後に、
当該発行したペイメントチャネル情報を用いたクライアントによるペイメントが成功したか否かを判断することと、
当該発行したペイメントチャネル情報を用いたサーバによるペイメントが成功していないと判断されると、ユーザエリアＩＤを返すように前記クライアントに通知し、前記クライアントが返すユーザエリアＩＤの受信を待ち、ユーザエリアＩＤを受信すると、当該ユーザエリアＩＤに従って、前記予め設定されたペイメントチャネル情報中の１つのペイメントチャネル情報を再選択して、当該再選択された１つのペイメントチャネル情報をクライアントに発行することとをさらに含む、請求項１から４のいずれかに記載の方法。
【請求項７】
前記１つのペイメントチャネル情報をクライアントに発行した後に、
当該発行したペイメントチャネル情報を用いたクライアントによるペイメントが成功したか否かを判断することと、
当該発行したペイメントチャネル情報を用いたサーバによるペイメントが成功したと判断されると、当該発行したペイメントチャネル情報の使用量を更新することとをさらに含む、請求項１から４のいずれかに記載の方法。
【請求項８】
前記モバイル装置はモバイル電話装置を含み、前記モバイル装置ＩＤはモバイル電話装置のＩＭＥＩを含み、前記ユーザエリアＩＤはＳＩＭカードに包含される電話番号情報を含む、請求項１から４のいずれかに記載の方法。
【請求項９】
クライアントのためのモバイルペイメント方法であって、
モバイルペイメントサービスが必要な場合に、モバイル装置ＩＤを含むペイメント要求メッセージをサーバに送るステップを含み、前記モバイル装置ＩＤは前記クライアントによって自動的に取得され、さらに
前記サーバが発行するペイメントチャネル情報を受信すると、当該ペイメントチャネル情報を用いることによってペイメントを行なうステップを含み、
前記サーバが発行するペイメントチャネル情報を用いることによってペイメントを完了する前に、前記クライアントがユーザエリアＩＤを前記サーバに発行する必要はない、方法。
【請求項１０】
前記サーバが発行するペイメントチャネル情報を用いることによるペイメントが成功しない場合、前記サーバからのユーザエリアＩＤを返す通知を待つステップと、
当該通知を受信すると、ユーザエリアＩＤをサーバに送るステップと、
当該ユーザエリアＩＤに従ってサーバが再発行するペイメントチャネル情報を受信すると、当該再発行されたペイメントチャネル情報を用いることによってペイメントを行なうステップとをさらに含む、請求項９に記載の方法。
【請求項１１】
モバイル装置はモバイル電話装置を含み、前記モバイル装置ＩＤはモバイル電話装置のＩＭＥＩを含み、前記ユーザエリアＩＤはＳＩＭカードに包含される電話番号情報を含む、請求項９に記載の方法。
【請求項１２】
サーバのためのモバイルペイメント装置であって、
クライアントが送ったペイメント要求メッセージを受信するための要求受信モジュールと、
予め設定されたペイメントチャネル情報セット中の１つのペイメントチャネル情報を選択して、前記１つのペイメントチャネル情報を前記クライアントに発行するためのチャネル発行モジュールとを含み、
前記ペイメントチャネル情報セットは複数のチャネル情報を含み、異なるペイメントチャネル情報がカバーするエリアは完全には重なっておらず、前記複数のペイメントチャネル情報はすべてのエリアをカバーする、サーバのためのモバイルペイメント装置。
【請求項１３】
クライアントのためのモバイルペイメント装置であって、
モバイルペイメントサービスが必要な場合に、モバイル装置ＩＤを含むペイメント要求メッセージをサーバに送るための要求発行モジュールと、
前記サーバが発行するペイメントチャネル情報を受信すると、当該ペイメントチャネル情報を用いることによってペイメントを行なうためのペイメントモジュールとを含み、
前記サーバが発行するペイメントチャネル情報を用いることによってペイメントモジュールがペイメントを完了する前に、前記クライアントのためのモバイルペイメント装置がユーザエリアＩＤを前記サーバに発行する必要はない、クライアントのためのモバイルペイメント装置。
【請求項１４】
請求項１２に記載のサーバのためのモバイルペイメント装置と、請求項１３に記載のクライアントのためのモバイルペイメント装置とを含む、モバイルペイメントシステム。
【発明の詳細な説明】
【技術分野】
【０００１】
本発明は、通信技術の分野、そしてより特定的には、サーバおよびクライアントのためのモバイルペイメント方法、装置、およびシステムに関する。
【背景技術】
【０００２】
モバイル装置の普及および急速な発展とともに、モバイル装置の移動性および個別性を用いたモバイルペイメントがますます適用されており、最も普及している方法はショートメッセージペイメントである。
【０００３】
しかしながら、既存のショートメッセージペイメント提供者は、いくつかのエリアをカバーするペイメントチャネル情報を提供するか、または、小売業者向けにいくつかのエリアでペイメントを開始しているに過ぎない。これにより、ショートメッセージソフトウェアの用途が限られ、適用の範囲に影響する。さらに、テキストメッセージソフトウェアの使用の際、サービスを提供するペイメント提供者を確認するために、ユーザはしばしば、ＳＩＭ（加入者識別モジュール）カードに包含される電話番号情報などのユーザのモバイル電話カードのエリア情報を入力することを要求されるが、これは、ショートメッセージペイメントのステップを複雑にし、かつ柔軟性をなくさせる。
【発明の概要】
【課題を解決するための手段】
【０００４】
概要
本発明は、先行技術において、ペイメントサービス提供者が提供するペイメントチャネルがすべてのエリアをカバーすることができないという課題を解決するために、サーバおよびクライアントのためのモバイルペイメント方法、装置、およびシステムを提供する。
【０００５】
本発明の局面に従うと、サーバのためのモバイルペイメント方法が提供され、これは、クライアントが送ったペイメント要求メッセージを受信することと、予め設定されたペイメントチャネル情報セットから１つのペイメントチャネル情報を選択して、当該１つのペイメントチャネル情報をクライアントに発行することとを含む。ペイメントチャネル情報セットは複数のペイメントチャネル情報を含み、異なるペイメントチャネル情報がカバーするエリアは完全には重なっておらず、複数のペイメントチャネル情報はすべてのエリアをカバーする。
【０００６】
本発明の別の局面に従うと、クライアントのためのモバイルペイメント方法が提供され、これは、モバイルペイメントサービスが必要な場合に、モバイル装置ＩＤ（Identification）を含むペイメント要求メッセージをサーバに送ることを含み、モバイル装置ＩＤはクライアントによって自動的に取得され、さらにクライアントのためのモバイルペイメント方法は、サーバが送ったペイメントチャネル情報を受信すると、ペイメントチャネル情報を用いることによってペイメントを行なうことを含む。クライアントは、サーバが発行するペイメントチャネル情報を用いてペイメントを完了する前に、ユーザエリアＩＤをサーバに送る必要はない。
【０００７】
本発明の別の局面に従うと、サーバのためのモバイルペイメント装置が提供され、これは、クライアントが送ったペイメント要求メッセージを受信するための要求受信モジュールと、予め設定されたペイメントチャネル情報セット中の１つのペイメントチャネル情報を選択して、当該１つのペイメントチャネル情報をクライアントに発行するためのチャネル発行モジュールとを含む。ペイメントチャネル情報セットは複数のペイメントチャネル情報を含み、異なるペイメントチャネル情報がカバーするエリアは完全には重なっておらず、複数のペイメントチャネル情報はすべてのエリアをカバーする。
【０００８】
本発明のさらに別の局面に従うと、クライアントのためのモバイルペイメント装置が提供され、これは、モバイルペイメントサービスが必要な場合に、モバイル装置ＩＤを含むペイメント要求メッセージをサーバに送るための要求送出モジュールと、サーバが発行するペイメントチャネル情報を受信すると、ペイメントチャネル情報を用いることによってペイメントを行なうためのペイメントモジュールとを含む。ペイメントモジュールがサーバが発行するペイメントチャネル情報を用いてペイメントを完了する前に、クライアントのためのモバイルペイメント装置がユーザエリアＩＤをサーバに送る必要はない。
【０００９】
本発明の別の局面に従うと、モバイルペイメントシステムが提供され、これは、本発明に従うサーバのためのモバイルペイメント装置と、本発明に従うクライアントのためのモバイルペイメント装置とを含む。
【００１０】
本発明に従うサーバは、複数のペイメント提供者が提供する異なるペイメントチャネル情報を選択してペイメントチャネル情報セットを形成し得、これにより、提供され得るペイメントサービスはすべてのエリアをカバーすることができ、このことは、あるペイメントチャネル情報がいくつかのエリアしかカバーしないという先行技術の限界を解消する。
【図面の簡単な説明】
【００１１】
【図１】本発明が提供するモバイルペイメント方法の概略フロー図である。
【図２】本発明が提供する別のモバイルペイメント方法の概略フロー図である。
【図３】本発明が提供するモバイルペイメント装置の概略構造図である。
【図４】本発明が提供する別のモバイルペイメント装置の概略構造図である。
【図５】本発明が提供するモバイルペイメントシステムの概略構造図である。
【００１２】
好ましい実施形態の詳細な説明
本発明のサーバおよびクライアントのためのモバイルペイメント方法、装置、およびシステムの具体的な実現例を、添付の図面および具体的な実施形態と関連して以下に詳細に説明する。
【００１３】
本発明は、サーバのためのモバイルペイメント方法であって、
クライアントが送ったペイメント要求メッセージを受信するステップ１０１と、
予め設定されたペイメントチャネル情報セットから１つのペイメントチャネル情報を選択して、当該１つのペイメントチャネル情報をクライアントに発行するステップ１０２とを含む、サーバのためのモバイルペイメント方法を提供する。
【００１４】
ペイメントチャネル情報セットは複数のチャネル情報を含み、異なるペイメントチャネル情報がカバーするエリアは完全には重なっておらず、複数のペイメントチャネル情報はすべてのエリアをカバーする。
【００１５】
本発明のサーバは、複数のペイメントサービス提供者が提供する異なるペイメントチャネル情報を選択してペイメントチャネル情報セットを形成し得、これにより、提供され得るペイメントサービスはすべてのエリアをカバーすることができ、このことは、あるペイメントチャネル情報がいくつかのエリアしかカバーしないという先行技術の限界を解消する。
【００１６】
具体的に、ペイメントチャネル情報は、モバイル電話ペイメントにおけるペイメントショートメッセージなどの、ユーザがペイメントを完了するのを助けるための情報、方法などを含む。サーバのペイメントチャネル情報セットを構成する各々のペイメントチャネル情報を選択する際、以下の局面を考慮すべきである。すなわち、選択されたペイメントチャネル情報は安定していて広いエリアをカバーすべきであり、すべての選択されたペイメントチャネル情報がカバーするエリアはすべてのエリアをカバーすべきであり、任意のエリアは少なくとも２つのペイメントチャネル情報によってカバーされるべきである。
【００１７】
好ましくは、ペイメント要求メッセージは、クライアントによって自動的に取得されるモバイル装置ＩＤを含み得る。さらに、本発明のサーバのためのモバイルペイメントステップに従うと、予め設定されたペイメントチャネル情報セットから１つのペイメントチャネル情報を選択して、当該１つのペイメントチャネル情報をクライアントに発行することは、モバイル装置ＩＤと関連付けられるユーザエリア情報がサーバによってローカルに保存されるか否かを判断することと、モバイル装置ＩＤと関連付けられるユーザエリアＩＤがローカルに保存されていると判断されると、モバイル装置ＩＤと関連付けられるユーザエリアＩＤに従って、予め設定されたペイメントチャネル情報セットから１つのペイメントチャネル情報を選択して、１つのペイメントチャネル情報をクライアントに発行することとを含み得る。
【００１８】
これに代えて、モバイル装置ＩＤと関連付けられるユーザエリアＩＤがローカルに保存されていないと判断されると、予め設定されたペイメントチャネル情報セットからの少なくとも２つのペイメントチャネル情報が好ましいペイメントチャネル情報であると判断され得、次に使用量が最も少ない１つの好ましいペイメントチャネル情報が好ましいペイメントチャネル情報から選択されて、クライアントに発行される。
【００１９】
好ましくは、ペイメントチャネル情報がクライアントに発行された後に、本発明に従うサーバのためのモバイルペイメント方法はさらに、発行されたペイメントチャネル情報を用いたクライアントによるペイメントが成功したか否かを判断することと、発行されたペイメントチャネル情報を用いたサーバによるペイメントが成功したと判断されると、クライアントが生成するユーザエリアＩＤを含む注文情報に従って、モバイル装置ＩＤと関連付けられるユーザエリアＩＤを取得しかつ保存することとを含み得る。
【００２０】
特に、モバイル装置ＩＤはモバイル装置のＩＤ情報であり得る。たとえば、ＩＭＥＩ（国際移動体装置識別番号）をモバイル電話のモバイル装置ＩＤとして用い得る。ユーザエリアＩＤは、ユーザにモバイル装置サービスを提供する提供者が位置するエリアを表わすＩＤであり得る。サーバは、ユーザにモバイル装置を提供する提供者が位置するエリアをユーザエリアＩＤに従って判断し、応じて、エリアをカバーするペイメントチャネル情報を選択して、ユーザによる使用のためにペイメントチャネル情報をクライアントに発行する。モバイル電話のユーザについては、モバイル電話番号をそのユーザエリアＩＤとして用いてもよい。
【００２１】
具体的な実現例では、サーバはモバイル装置に組込まれたソフトウェアであるので、サーバは、モバイル装置のＩＤに関する情報を直接に取得することができるが、ユーザにモバイル装置を提供する提供者が位置するエリアについての情報を直接に取得することはできない、すなわち、これは、ユーザエリアＩＤを直接に取得することはできない。一般的にユーザは同じモバイル装置を用いてペイメントを行なうことを考慮すると、サーバは、ユーザに対応するモバイル装置ＩＤと、ユーザが初めて成功裏にモバイルペイメント機能を用いた後の注文情報からユーザエリアＩＤとを取得して保存し得、その後で、ユーザがペイメントを再び要求した場合は、クライアントは、モバイル装置ＩＤを含むペイメント要求メッセージをサーバに送るだけでよく、サーバは、ローカルに保存したモバイル装置ＩＤに従って、ユーザに対応するユーザエリアＩＤを判断し得る。
【００２２】
具体的な実現例では、ユーザエリアＩＤがローカルに保存されていないと判断されると、サーバは、１つのペイメントチャネル情報を選択して、使用のためにそのペイメントチャネル情報をクライアントに発行しようとし得る。ユーザが選択を試みようとするペイメントチャネル情報を成功裏に用いる最大の可能性を確実にするために、サーバは、大部分のエリアをカバーしかつペイメントチャネル情報セット中の最良の安定性を有する１つのペイメントチャネル情報を、選択が試みられようとするペイメントチャネル情報となるように選択し得る。
【００２３】
実際、サーバが選択するペイメントチャネル情報セット中の各々のペイメントチャネル情報は安定していて、広いエリアをカバーするとともに、サーバは、各々のペイメント情報チャネルが相当のロード負荷レベルを確実に有するようにすることも必要であり、サーバは、大部分のエリアをカバーしかつ最良の安定性を有する複数のペイメントチャネル情報をペイメントチャネル情報セットから、好ましいペイメントチャネル情報となるように決定し、使用エリアＩＤがローカルに記憶されていないと判断されると、現在の使用量が最も少ない１つの好ましいペイメントチャネル情報を選択して、使用のためにその好ましいペイメントチャネル情報をサーバに発行し得る。さらに、ペイメントチャネル情報セット中の各々のペイメント情報チャネルが相当のロード負荷レベルを有するという目的を達成するために、サーバは、代替的に、使用のためにクライアントに発行される、選択が試みられようとするペイメントチャネル情報となるように、複数の好ましいペイメントチャネル情報から各々の好ましいペイメントチャネル情報も循環的に選択し得る。これに代えて、固定期間の間、クライアントが送るペイメント要求メッセージをサーバが受信して、対応するユーザエリアＩＤがローカルに保存されない場合は、サーバは、発行される複数の好ましいペイメントチャネル情報クライアントから同じ好ましいペイメントチャネル情報を選択し得る。
【００２４】
具体的な実現例では、サーバが発行するペイメントチャネル情報を用いることによってクライアントが成功裏にペイメントを完了すると、クライアントが用いるペイメントチャネル情報が、サーバがローカルに保存するモバイル装置ＩＤと関連付けられるユーザエリアＩＤに従うペイメントチャネル情報であれば、サーバは、それに対する成功裏のペイメントが現在行なわれている注文情報から、クライアントに対応するユーザエリアＩＤを取得して保存し、これにより、サーバは、クライアントが送る次のペイメント要求メッセージを受信すると、この成功したペイメントで用いられたユーザエリアＩＤを用いて、その判断された対応のペイメントチャネル情報とすることができる。このように、クライアントによる成功裏のペイメントを行なう可能性が増す。一方で、クライアントが用いるペイメントチャネル情報が、サーバがクライアントのために選択を試みようとしている好ましいペイメントチャネル情報であれば、これは、サーバが選択を試みようとするペイメントチャネル情報がユーザが位置するエリアをカバーすることができることを示し、したがって、サーバは、それに対してユーザが成功裏のペイメントを行なった注文情報からユーザエリアＩＤを取得し得、注文メッセージから取得したこれらのユーザエリアＩＤをサーバにローカルに保存することにより、サーバは、クライアントが再びペイメントを要求する場合に、ユーザエリアＩＤに従ってクライアントのための対応のペイメントチャネル情報を選択し得る。この「学習」法で、サーバは、ユーザがユーザエリアＩＤを入力する必要がないという条件で、より多くのユーザのためにペイメント機能を提供し得る。
【００２５】
好ましくは、本発明のサーバのためのモバイルペイメント方法のステップに従うと、予め設定されたペイメントチャネル情報セットから１つのペイメントチャネル情報を選択して、当該１つのペイメントチャネル情報をクライアントに発行することは、モバイル装置ＩＤと関連付けられるユーザエリアＩＤに従って、ユーザエリアＩＤに対応するエリアを判断することと、ペイメントチャネル情報セット中のエリアをカバーするすべてのペイメントチャネル情報を判断することと、現在の使用量が最も少ない１つのペイメントチャネル情報を選択して、エリアをカバーするすべてのペイメントチャネル情報の中から１つのペイメントチャネル情報をクライアントに発行することとを含み得る。
【００２６】
特に、サーバのペイメントチャネル情報セット中の各々のペイメントチャネル情報のロード負荷レベルを均等にするために、ユーザエリアＩＤに従ってクライアントのためのペイメントチャネル情報を選択しつつ、ユーザが位置するエリアをカバーするすべてのペイメントチャネル情報がペイメントチャネル情報セットからまず判断され、次にユーザが位置するエリアをカバーするすべてのペイメントチャネル情報から現在の使用量が最も少ない１つのペイメントチャネル情報が選択されて、使用のためにクライアントに発行され、これにより、各々のペイメントチャネル情報が相当のロード負荷レベルを確実に有するようにして、いくつかのペイメントチャネル情報が高過ぎるロード負荷レベルを有する一方で他のものは低過ぎるロード負荷レベルを有するという場合が発生するのを回避する。
【００２７】
好ましくは、クライアントにペイメントチャネル情報を発行した後に、本発明に従うサーバのためのモバイルペイメント方法はさらに、発行したペイメントチャネル情報を用いたクライアントによるペイメントが成功したか否かを判断することと、発行したペイメントチャネル情報を用いたクライアントによるペイメントが成功していないと判断されると、クライアントにユーザエリアＩＤを返すように通知することと、クライアントが返したユーザエリアＩＤを受信するのを待つことと、ユーザエリアＩＤを受信すると、予め設定されたペイメントチャネル情報セット中の１つのペイメントチャネル情報を再選択することと、再選択されたペイメントチャネル情報をクライアントに発行することとを含み得る。
【００２８】
特に、クライアントが用いるペイメントチャネル情報がサーバによってローカルに保存されるモバイル装置ＩＤと関連付けられるユーザエリアＩＤに従うペイメントチャネル情報であり、かつペイメントチャネル情報を用いたペイメントが成功していない場合、このことは、モバイル装置ＩＤに現在対応するユーザエリアＩＤが、サーバが保存するユーザエリアＩＤと整合していないことを示す（たとえば、ユーザが同じモバイル電話で２つの異なるＳＩＭカードを用いてショートメッセージペイメントを行なえば、モバイル装置ＩＤは同じであるが、ユーザエリアＩＤは異なる）。したがって、サーバがローカルに保存するモバイル装置ＩＤと関連付けられるユーザエリアＩＤに従う、クライアントのために選択されたペイメントチャネル情報が、ユーザにモバイル装置サービスを現在提供する提供者が位置するエリアをカバーしていないかもしれない可能性がある。この時点で、サーバは、提供者が位置するエリアに関する情報を取得する必要がある。たとえば、サーバは、クライアントにユーザエリアＩＤを返すように通知する催促メッセージをクライアントに送り、次にクライアントが返すユーザエリアＩＤに従って、クライアントのための対応のペイメントチャネル情報を判断し得る。一方で、クライアントが用いるペイメントチャネル情報が、サーバが選択を試みようとする好ましいペイメントチャネル情報であり、かつペイメントチャネル情報を用いたペイメントが成功しなければ、このことは、サーバが選択を試みようとするペイメントチャネル情報がユーザが位置するエリアをカバーしていないことを示す。この場合、サーバは、ユーザエリアＩＤを返すようにクライアントに通知する催促メッセージをクライアントに送り、次に、クライアントが返すユーザエリアＩＤに従ってクライアントのための対応のペイメントチャネル情報を判断し得る。
【００２９】
好ましくは、ペイメントチャネル情報をクライアントに発行した後に、本発明に従うサーバのためのモバイルペイメント方法はさらに、発行したペイメントチャネル情報を用いたクライアントによるペイメントが成功したか否かを判断することと、発行したペイメントチャネル情報を用いたクライアントによるペイメントが成功したと判断されると、発行したペイメントチャネル情報の使用量を更新することとを含み得る。
【００３０】
特に、発行したペイメントチャネル情報を用いることによってクライアントが成功裏にペイメントを行なうと、サーバは、発行したペイメントチャネル情報の使用量を更新し得る。このように、いつでも、サーバは、ペイメントチャネル情報セット中の各々のペイメントチャネル情報の現在の使用量を判断し、これにより、各々のペイメントチャネル情報のロード負荷レベルを均等にするための基準を提供することができる。
【００３１】
本発明に従うサーバは、複数のペイメント提供者が提供する異なるペイメントチャネル情報を選択してペイメントチャネル情報セットを形成し得、これにより、提供され得るペイメントサービスはすべてのエリアをカバーすることができ、これは、あるペイメントチャネル情報がいくつかのエリアしかカバーしないという先行技術の限界を解消する。さらに、本発明に従うサーバは、ローカルに保存されるユーザエリアＩＤに従ってペイメントチャネル情報を選択して、ペイメントチャネル情報をクライアントに発行して、クライアントによる再入力操作を省略し得、このことはモバイルペイメントをより単純かつより便利にする。
【００３２】
本発明は、図２に図示するように、クライアントのためのモバイルペイメント方法であって、
モバイルペイメントサービスが必要な場合に、モバイル装置ＩＤを含むペイメント要求メッセージをサーバに送るステップ２０１を含み、モバイル装置ＩＤはクライアントによって自動的に取得され、クライアントのためのモバイルペイメント方法はさらに、
サーバが発行するペイメントチャネル情報を受信すると、ペイメントチャネル情報を用いてペイメントを行なうステップ２０２を含む、クライアントのためのモバイルペイメント方法をさらに提供する。
【００３３】
サーバが発行するペイメントチャネル情報を用いてペイメントを完了する前に、クライアントはユーザエリアＩＤをサーバに送る必要はない。
【００３４】
好ましくは、本発明に従うクライアントのためのモバイルペイメント方法は、サーバが発行するペイメントチャネル情報を用いたペイメントが成功しない場合は、サーバからユーザエリアＩＤを返す通知を待つことと、通知を受信すると、ユーザエリアＩＤをサーバに送ることと、ユーザエリアＩＤに従ってサーバによって再発行されたペイメントチャネル情報を受信すると、再発行されたペイメントチャネル情報を用いることによってペイメントを行なうこととも含み得る。
【００３５】
特に、サーバが発行するペイメントチャネル情報に従ってクライアントがペイメントを完了した後に、予め設定された時間内にフィードバックを受信しない場合（期間は具体的な適用例に従って設定され得る）、またはサーバが送る催促メッセージを受信すると、サーバが発行するペイメントチャネル情報を用いたペイメントが成功していないと判断され得る。この時点で、クライアントはユーザエリアＩＤを入力するようにユーザに促し得（たとえば、モバイル電話のユーザについては、モバイル電話番号を入力し得る）、次にユーザエリア情報をサーバに送り、サーバが再発行するペイメントチャネル情報を待ってペイメントを行なう。
【００３６】
本発明は、図３に図示するようなサーバのためのモバイルペイメント装置であって、
クライアントが送るペイメント要求メッセージを受信するための要求受信モジュール３０１と、
予め設定されたペイメントチャネル情報セットから１つのペイメントチャネル情報を選択して、これをクライアントに発行するためのチャネル発行モジュール３０２とを含む、サーバのためのモバイルペイメント装置も提供する。
【００３７】
ペイメントチャネル情報セットは複数のチャネル情報からなり、異なるペイメントチャネル情報がカバーするエリアは完全には重なっておらず、複数のペイメントチャネル情報はすべてのエリアをカバーする。
【００３８】
サーバのためのモバイルペイメント装置の各モジュールの具体的な機能については、図１に図示するサーバのためのモバイルペイメント方法の具体的な達成を参照されたい。
【００３９】
本発明は、図３に図示するようなサーバのためのモバイルペイメント装置であって、
クライアントが送るペイメント要求メッセージを受信するための要求受信モジュール３０１と、
予め設定されたペイメントチャネル情報セット中の１つのペイメントチャネル情報を選択して、当該１つのペイメントチャネル情報をクライアントに送るためのチャネル発行モジュール３０２とを含む、サーバのためのモバイルペイメント装置をさらに提供する。
【００４０】
ペイメントチャネル情報セットは複数の情報チャネル情報によって形成され、異なるペイメントチャネル情報がカバーするエリアは完全には重なっておらず、複数のペイメントチャネル情報はすべてのエリアをカバーする。
【００４１】
サーバのためのモバイルペイメント装置の各モジュールが達成する具体的な機能は、図１に図示するサービスのためのモバイルペイメント方法の具体的な実現プロセスを指し、本明細書中で詳細に述べない。
【００４２】
本発明は、図４に図示するようなクライアントのためのモバイルペイメント装置であって、
モバイルペイメントサービスが必要な場合に、モバイル装置ＩＤを含むペイメント要求メッセージをサーバに送るための要求送出モジュール４０１と、
サーバが発行するペイメントチャネル情報を受信すると、ペイメントチャネル情報を用いることによってペイメントを行なうためのペイメントモジュール４０２とを含む、クライアントのためのモバイルペイメント装置をさらに提供する。
【００４３】
サーバが発行するペイメントチャネル情報を用いることによってペイメントモジュール４０２がペイメントを完了する前に、クライアントのためのモバイルペイメント装置がユーザエリアＩＤをサーバに送る必要はない。
【００４４】
クライアントのためのモバイルペイメント装置の各モジュールによって達成される具体的な機能は、図２に図示するクライアントのためのモバイルペイメント方法の具体的な実現プロセスを指し、本明細書中で詳細に述べない。
【００４５】
本発明は、図５に図示するようなモバイルペイメントシステムも提供し、これは、本発明に従うサーバのためのモバイルペイメント装置５０１と、本発明に従うクライアントのためのモバイルペイメント装置５０２とを含む。
【００４６】
本発明は、その中に命令を格納するコンピュータ読取可能媒体も提供する。プロセッサがコンピュータ読取可能媒体を読出すと、命令は、本発明に従うサーバのためのモバイルペイメント方法を実現することができ、この方法は、クライアントが送るペイメント要求メッセージを受信することと、予め設定されたペイメントチャネル情報セット中の１つのペイメントチャネル情報を選択して、当該１つのペイメントチャネル情報をクライアントに送ることとを含む。ペイメントチャネル情報セットは複数のペイメントチャネル情報によって形成され、異なるペイメントチャネル情報がカバーするエリアは完全には重なっておらず、複数のペイメントチャネル情報はすべてのエリアをカバーする。
【００４７】
本発明は、その中に命令を格納するコンピュータ読取可能媒体も提供する。プロセッサがコンピュータ読取可能媒体を読出すと、命令は、本発明に従うクライアントのためのモバイルペイメント方法を実現することができ、この方法は、モバイルペイメントサービスが必要な場合に、モバイル装置ＩＤを含むペイメント要求メッセージをサーバに送ることを含み、モバイル装置ＩＤはクライアントによって自動的に取得され、さらにこの方法は、サーバが発行するペイメントチャネル情報を受信すると、ペイメントチャネル情報を用いることによってペイメントを行なうことを含む。サーバが発行するペイメントチャネル情報を用いることによってペイメントを完了する前に、クライアントがユーザエリアＩＤをサーバに送る必要はない。
【００４８】
本発明の精神および範囲から逸脱することなく、当業者によってさまざまな修正および変形がなされてもよいことが明らかである。このように、本発明のこれらの修正例および変形例が本発明の請求項およびそれらの均等物の範囲内に入れば、本発明はこれらの修正例および変形例をカバーすることを意図する。
【図１】
2014527661.tif 000003
【図２】
2014527661.tif 000004
【図３】
2014527661.tif 000005
【図４】
2014527661.tif 000006
【図５】
2014527661.tif 000007
【国際調査報告】
2014527661.tif 000008
2014527661.tif 000009
2014527661.tif 000010
2014527661.tif 000011
2014527661.tif 000012
2014527661.tif 000013